(57)【要約】【課題】ＤＶＤとＨＤ−ＤＶＤに対し、それらの判別をより迅速に行う光ディスク装置およびディスク判別方法を提供すること。【解決手段】光ピックアップ３を光ディスク上のデータ領域に停止させた状態で、ＴＲ信号生成部９により、トラッキングエラー信号としてＤＰＰ方式による振幅ＶｄｐｐとＤＰＤ方式による振幅Ｖｄｐｄとを取得する。ディスク判別部１０は、取得したＶｄｐｐおよびＶｄｐｄを閾値Ｖｔｈと比較することで光ディスクの種類を判別する。または、光ピックアップを光ディスク上のデータ領域およびシステムリードイン領域に停止させた状態で、トラッキングエラー信号の振幅Ｖｄａｔａおよび振幅Ｖｌｅａｄを取得しこれらを比較する。【選択図】図１
2008159214.tif 000002
【特許請求の範囲】
【請求項１】
装着された光ディスクを回転するスピンドルモータと、
上記光ディスクにレーザ光を照射しその反射光を検出する光ピックアップと、
該光ピックアップを光ディスクの半径方向に移動させるスレッドモータと、
上記光ピックアップで検出した信号からトラッキングエラー信号を生成するトラッキングエラー信号生成部と、
上記トラッキングエラー信号の振幅を閾値と比較し上記光ディスクの種類を判別するディスク判別部とを備え、
上記光ピックアップを上記光ディスク上のデータ領域に停止させた状態で、上記トラッキングエラー信号として差動プッシュプル方式（以下、ＤＰＰ方式）による振幅Ｖｄｐｐと位相差検出方式（以下、ＤＰＤ方式）による振幅Ｖｄｐｄとを取得し、上記ディスク判別部は、取得した振幅Ｖｄｐｐおよび振幅Ｖｄｐｄを閾値Ｖｔｈと比較することで上記光ディスクの種類を判別することを特徴とする光ディスク装置。
【請求項２】
請求項１記載の光ディスク装置において、
前記ディスク判別部は、前記取得した振幅Ｖｄｐｐと振幅Ｖｄｐｄとの振幅比Ｖｄｐｐ／Ｖｄｐｄを求め、これを閾値Ｒｔｈと比較することで前記光ディスクの種類を判別することを特徴とする光ディスク装置。
【請求項３】
請求項２記載の光ディスク装置において、
前記ディスク判別部は、前記取得した振幅Ｖｄｐｐおよび振幅Ｖｄｐｄのいずれも閾値Ｖｔｈ以下であり、かつ前記振幅比Ｖｄｐｐ／Ｖｄｐｄが閾値Ｒｔｈ以下である場合、前記光ディスクはＨＤ−ＤＶＤであると判別することを特徴とする光ディスク装置。
【請求項４】
装着された光ディスクを回転するスピンドルモータと、
上記光ディスクにレーザ光を照射しその反射光を検出する光ピックアップと、
該光ピックアップを光ディスクの半径方向に移動させるスレッドモータと、
上記光ピックアップで検出した信号からＤＰＰ方式のトラッキングエラー信号を生成するトラッキングエラー信号生成部と、
上記トラッキングエラー信号の振幅を比較し上記光ディスクの種類を判別するディスク判別部とを備え、
上記光ピックアップを上記光ディスク上のデータ領域およびシステムリードイン領域またはこれに対応するリードイン領域に停止させた状態で、上記トラッキングエラー信号の振幅Ｖｄａｔａおよび振幅Ｖｌｅａｄを取得し、上記ディスク判別部は、取得した振幅Ｖｄａｔａと振幅Ｖｌｅａｄを比較することで上記光ディスクの種類を判別することを特徴とする光ディスク装置。
【請求項５】
請求項４記載の光ディスク装置において、
前記ディスク判別部は、前記取得した振幅Ｖｌｅａｄと振幅Ｖｄａｔａとの振幅比Ｖｌｅａｄ／Ｖｄａｔａを求め、これが閾値Ｒｔｈより大きい場合、前記光ディスクはＨＤ−ＤＶＤであると判別することを特徴とする光ディスク装置。
【請求項６】
装着された光ディスクに光ピックアップからレーザ光を照射し、その反射光を検出して上記光ディスクの種類を判別する光ディスクの判別方法において、
上記光ディスクを回転させ、上記光ピックアップを上記光ディスク上のデータ領域に停止させた状態で反射光を検出し、
検出した信号からトラッキングエラー信号としてＤＰＰ方式による振幅ＶｄｐｐとＤＰＤ方式による振幅Ｖｄｐｄとを取得し、
取得した振幅Ｖｄｐｐおよび振幅Ｖｄｐｄを閾値Ｖｔｈと比較することで上記光ディスクの種類を判別することを特徴とする光ディスクの判別方法。
【請求項７】
請求項６記載の光ディスクの判別方法において、
さらに、前記取得した振幅Ｖｄｐｐと振幅Ｖｄｐｄとの振幅比Ｖｄｐｐ／Ｖｄｐｄを求め、これを閾値Ｒｔｈと比較することで前記光ディスクの種類を判別することを特徴とする光ディスクの判別方法。
【請求項８】
装着された光ディスクに光ピックアップからレーザ光を照射し、その反射光を検出して上記光ディスクの種類を判別する光ディスクの判別方法において、
上記光ディスクを回転させ、上記光ピックアップを上記光ディスク上のデータ領域およびシステムリードイン領域またはこれに対応するリードイン領域に停止させた状態で反射光を検出し、
それぞれの領域で検出した信号からＤＰＰ方式のトラッキングエラー信号の振幅Ｖｄａｔａおよび振幅Ｖｌｅａｄを取得し、
取得した振幅Ｖｄａｔａと振幅Ｖｌｅａｄを比較することで上記光ディスクの種類を判別することを特徴とする光ディスクの判別方法。
【請求項９】
請求項８記載の光ディスクの判別方法において、
初めに、前記光ピックアップを前記光ディスク上のシステムリードイン領域またはこれに対応するリードイン領域に移動させて、前記トラッキングエラー信号の振幅Ｖｌｅａｄを取得し、
次に、前記光ピックアップを前記光ディスク上のデータ領域に移動させて、前記トラッキングエラー信号の振幅Ｖｄａｔａを取得することを特徴とする光ディスクの判別方法。
【請求項１０】
請求項８記載の光ディスクの判別方法において、
初めに、前記光ピックアップを前記光ディスク上のデータ領域に移動させて、前記トラッキングエラー信号の振幅Ｖｄａｔａを取得し、
次に、前記光ピックアップを前記光ディスク上のシステムリードイン領域またはこれに対応するリードイン領域に向けて所定量だけ移動させて、前記トラッキングエラー信号の振幅Ｖｌｅａｄを取得し、
前記光ピックアップの移動先が前記システムリードイン領域またはこれに対応するリードイン領域を超えるまで前記光ピックアップを所定量だけ繰り返して移動させ、移動する毎に振幅Ｖｌｅａｄを取得して更新することを特徴とする光ディスクの判別方法。
【発明の詳細な説明】
【技術分野】
【０００１】
本発明は、大容量光ディスクを含めその種類を判別可能な光ディスク装置及び光ディスクの判別方法に関する。
【背景技術】
【０００２】
青色レーザ光を用いた大容量光ディスクとして、ＢＤ（Ｂｌｕ−ｒａｙ  Ｄｉｓｋ）とＨＤ−ＤＶＤ（Ｈｉｇｈ  Ｄｉｆｉｎｉｔｉｏｎ  ＤＶＤ）が規格化され、これらに対応した光ディスク装置が発表されている。さらに、従来のＣＤやＤＶＤを含め、これら全ての光ディスクに対応できる３波長レーザ型光ディスク装置も開発されているが、この装置では、装着された光ディスクの種類を的確に判別せねばならない。
【０００３】
従来のディスク判別法では、ディスク表面から記録面までの距離の違い（すなわち焦点深度）を利用して、装着されたディスクの種別を判別する方法を用いている。しかしながら、ＤＶＤとＨＤ−ＤＶＤとは、ディスク表面から記録面までの距離が同一であるため、この方法だけでは判別することができない。
【０００４】
そこで特許文献１では、レーザ光をディスクにフォーカス合わせ、光ピックアップをディスク径方向に移動させたときに出力されるプッシュプル信号の周期に基づいて、ＤＶＤとＨＤ−ＤＶＤとを判別する方法を開示している。また、特許文献２では、ＨＤ−ＤＶＤではシステムリードイン領域とデータ領域とでトラックピッチが異なることを利用し、光ピックアップをディスクの径方向に移動させ、トラックピッチが変化したか否かを検出してＤＶＤとＨＤ−ＤＶＤを判別する方法を開示している。
【０００５】
【特許文献１】特開２００６−３１７７９号公報
【特許文献２】特開２００６−１７９１２７号公報
【発明の開示】
【発明が解決しようとする課題】
【０００６】
上記特許文献１や特許文献２に記載の技術は、ディスク判別のために、いずれも光ピックアップをディスク径方向に移動（シーク）させてトラックピッチの違いを検出する方式である。そのために、判別のためにピックアップを移動させる新たな工程が必要になり、また、光ピックアップの移動時はその速度を正確に制御する必要がある。光ディスク装置の記録再生の高速化を実現するために、装着されたディスクを迅速に判別せねばならず、上記特許文献に記載の方法では限界がある。
【０００７】
本発明の目的は、ＤＶＤとＨＤ−ＤＶＤを搭載可能で、それらの判別をより迅速に行う光ディスク装置およびディスク判別方法を提供することである。
【課題を解決するための手段】
【０００８】
本発明の光ディスク装置は、装着された光ディスクを回転するスピンドルモータと、光ディスクにレーザ光を照射しその反射光を検出する光ピックアップと、光ピックアップを光ディスクの半径方向に移動させるスレッドモータと、光ピックアップで検出した信号からトラッキングエラー信号を生成するトラッキングエラー信号生成部と、トラッキングエラー信号の振幅を閾値と比較し光ディスクの種類を判別するディスク判別部とを備える。そして、光ピックアップを光ディスク上のデータ領域に停止させた状態で、トラッキングエラー信号として差動プッシュプル方式（以下、ＤＰＰ方式）による振幅Ｖｄｐｐと位相差検出方式（以下、ＤＰＤ方式）による振幅Ｖｄｐｄとを取得し、ディスク判別部は、取得した振幅Ｖｄｐｐおよび振幅Ｖｄｐｄを閾値Ｖｔｈと比較することで光ディスクの種類を判別する。
【０００９】
また本発明の光ディスク装置は、装着された光ディスクを回転するスピンドルモータと、光ディスクにレーザ光を照射しその反射光を検出する光ピックアップと、光ピックアップを光ディスクの半径方向に移動させるスレッドモータと、光ピックアップで検出した信号からＤＰＰ方式のトラッキングエラー信号を生成するトラッキングエラー信号生成部と、トラッキングエラー信号の振幅を比較し上記光ディスクの種類を判別するディスク判別部とを備える。そして、光ピックアップを光ディスク上のデータ領域およびシステムリードイン領域またはこれに対応するリードイン領域に停止させた状態で、トラッキングエラー信号の振幅Ｖｄａｔａおよび振幅Ｖｌｅａｄを取得し、ディスク判別部は、取得した振幅Ｖｄａｔａと振幅Ｖｌｅａｄを比較することで光ディスクの種類を判別する。
【００１０】
本発明の光ディスクの判別方法は、光ディスクを回転させ、光ピックアップを光ディスク上のデータ領域に停止させた状態で反射光を検出し、検出した信号からトラッキングエラー信号としてＤＰＰ方式による振幅ＶｄｐｐとＤＰＤ方式による振幅Ｖｄｐｄとを取得し、取得した振幅Ｖｄｐｐおよび振幅Ｖｄｐｄを閾値Ｖｔｈと比較することで光ディスクの種類を判別する。
【００１１】
また本発明の光ディスクの判別方法は、光ディスクを回転させ、光ピックアップを光ディスク上のデータ領域およびシステムリードイン領域またはこれに対応するリードイン領域に停止させた状態で反射光を検出し、それぞれの領域で検出した信号からＤＰＰ方式のトラッキングエラー信号の振幅Ｖｄａｔａおよび振幅Ｖｌｅａｄを取得し、取得した振幅Ｖｄａｔａと振幅Ｖｌｅａｄを比較することで光ディスクの種類を判別する。
【発明の効果】
【００１２】
本発明によれば、ＤＶＤとＨＤ−ＤＶＤを搭載可能な光ディスク装置において、より迅速にディスクを判別し、記録又は再生動作の高速化に寄与する。
【発明を実施するための最良の形態】
【００１３】
図１は、本発明による光ディスク装置の一実施例を示すブロック図である。本装置は３波長レーザ対応型であり、光ディスク１として、大容量光ディスクであるＢＤとＨＤ−ＤＶＤ、および従来の各種ＤＶＤ（ＤＶＤ−ＲＯＭ，ＤＶＤ−ＲＡＭ，ＤＶＤ−Ｒ，ＤＶＤ−ＲＷ，ＤＶＤ＋Ｒ，ＤＶＤ＋ＲＷ）やＣＤなどを装着可能である。光ディスク１は、スピンドルモータ２により回転され、光ピックアップ３は、スレッドモータ４により光ディスク１の径方向に移動する。光ピックアップ３からは、図示しない対物レンズを介して所定波長で所定強度のレーザ光を照射し、装着された光ディスク１の種類を判別するとともに、光ディスク１への信号の記録または再生を行う。その際対物レンズは図示しないアクチュエータにより、フォーカス方向およびトラッキング方向に微小移動させる。サーボ回路５は、スピンドルモータ２、スレッドモータ４およびアクチュエータを制御する。照射するレーザ光はレーザドライバ６で制御される。光ディスク１からの反射光は光ピックアップ３内の検出器で電気信号に変換する。この検出信号を基に、ＦＥ信号生成部７はフォーカスエラー信号（ＦＥ信号）を、ＰＥ信号生成部８は和信号（ＰＥ信号）を、ＴＥ信号生成部９はトラッキングエラー信号（ＴＥ信号）をそれぞれ生成する。マイコン（ディスク判別部）１０はこれらの信号のレベル（振幅）を閾値と比較してディスクの種類を判別する。ＥＥＰＲＯＭ１１には、光ディスク判別に必要な各信号レベルの閾値を記憶し格納している。
【００１４】
ここでＴＥ信号生成部９は、差動プッシュプル方式（Ｄｉｆｆｅｒｅｎｔｉａｌ  Ｐｕｓｈ−Ｐｕｌｌ、以下ＤＰＰ方式）と位相差検出方式（Ｄｉｆｆｅｒｅｎｔｉａｌ  Ｐｈａｓｅ  Ｄｅｔｅｃｔｉｏｎ、以下ＤＰＤ方式）の両方式でトラッキングエラー信号を生成する。
【００１５】
ＤＰＰ方式は、案内溝を設けた記録用トラックが螺旋状に形成されている光ディスクに対して有効である。ＤＰＰ方式は、光ディスクに照射するレーザ光をメインビームとサブビームに分割し、メインビームに対して１／２トラックだけずらした位置にサブビームを照射し、メインビームによるトラッキングエラー信号とサブビームによるトラッキングエラー信号の差分を取りトラッキングエラー信号とするものである。
【００１６】
一方ＤＰＤ方式は、再生専用の光ディスクのように上記案内溝がなく、情報信号に対応して形成された凹凸のピット列から位相差を検出してトラッキングエラー信号とするものである。ＤＰＤ方式は、当然ながら、未記録の記録用光ディスクには適用できないが、記録済の記録用光ディスクのに対しては適用可能である。
【００１７】
図２は、図１で示したトラッキングエラー信号生成部９の詳細な構成を示す図である。ここでは、ＤＰＤ方式によるＴＥ信号とＤＰＰ方式によるＴＥ信号をどのように生成するかを説明する。
【００１８】
光ピックアップ３の受光素子は３ビーム方式に対応するため、受光領域を分割した複数個のディテクタ２０を有する。メインビームに対するディテクタの出力信号をＡ〜Ｄ、サブビームに対するディテクタの出力信号をＥ，Ｆとする。
【００１９】
まず、ＤＰＤ方式のＴＥ信号生成を述べる。位相差検出回路２１はピット列からの信号Ａと信号Ｂの位相差を検出し、位相差検出回路２２はピット列からの信号Ｃと信号Ｄの位相差を検出する。光スポットがピットの中心位置にあればこれらは同位相であるが、中心位置からずれると位相差が発生する。そして両者を加算器２３にて加算し、ＤＰＤ方式のＴＥ信号を生成する。
【００２０】
次に、ＤＰＰ方式のＴＥ信号生成を述べる。メインビームに関して、加算器２４は案内溝からの信号Ａと信号Ｄを加算し（Ａ＋Ｄ）、加算器２５は案内溝からの信号Ｂと信号Ｃを加算する（Ｂ＋Ｃ）。減算器２６はこれらを減算し（（Ａ＋Ｄ）−（Ｂ＋Ｃ））、メインプッシュプル信号（ＭＰＰ信号）を得る。またサブビームに関して、減算器２７は信号Ｅから信号Ｆを減算し（Ｅ−Ｆ）、サブプッシュプル信号（ＳＰＰ信号）を得る。ゲイン調整器２８はこれをｋ倍して、ＭＰＰ信号とほぼ同一振幅になるよう調整する。ここでＭＰＰ信号とＳＰＰ信号は逆位相である。そして減算器２９は、ＭＰＰ信号からＳＰＰ信号（ｋ倍後）を減算してＤＰＰ方式のＴＥ信号を生成する。
【００２１】
本実施例におけるディスク判別法の概要は次の通りである。
＜判別法１＞：光ディスクからの反射光（ＰＥ信号）を用いて表面から記録面までの深さ（焦点深度）ｄを求める。これにより、ＢＤ（ｄ＝０．１ｍｍ）、ＣＤ（ｄ＝１．２ｍｍ）、ＤＶＤとＨＤ−ＤＶＤ（ｄ＝０．６ｍｍ）の判別を行う。
＜判別法２＞：ＤＰＰ方式とＤＰＤ方式のトラッキングエラー信号（ＴＥ信号）を用いてＤＶＤとＨＤ−ＤＶＤの判別を行う。その際光ピックアップをディスク上のデータ領域に停止させて、ＤＰＰ方式とＤＰＤ方式のＴＥ信号の振幅及びそれらの振幅比を閾値と比較する。
＜判別法３＞：ＤＰＰ方式のＴＥ信号を用いて、データ領域およびシステムリードイン領域（またはこれに対応するリードイン領域）での振幅比を閾値と比較してＤＶＤとＨＤ−ＤＶＤの判別を行う。
【００２２】
ＤＶＤとＨＤ−ＤＶＤの判別は、上記判別法２または判別法３により行うものであるが、その原理を説明する。
【００２３】
図３は、ＨＤ−ＤＶＤとＤＶＤの記録フォーマットを比較して示した図である。ＨＤ−ＤＶＤとＤＶＤでは周知のようにそのトラックピッチＴｐが異なる。まずそれぞれのデータ領域３１，３２で比較すると、ＨＤ−ＤＶＤではＴｐ＝０．４μｍ、ＤＶＤではＴｐ＝０．７４μｍである。また、ＨＤ−ＤＶＤでは、システムリードイン領域３３ではＴｐ＝０．６８μｍであり、データ領域３１のＴｐ値と異なる。なおＤＶＤでは、リードイン領域３４のＴｐ値はデータ領域３２のＴｐ値と等しい。
【００２４】
本実施例では、これらのトラックピッチＴｐの値に着目して、Ｔｐの違いによりトラッキングエラー信号の振幅が異なることを利用し、ＴＥ信号の振幅の差として検出する。さらに判別法２では、ＤＰＰ方式とＤＰＤ方式の振幅比も評価しているが、これはＴｐとレーザスポット径との関係によるＤＰＰ方式の振幅減少を捉えて判別に利用するものである。本実施例では、検出するのはＴＥ信号の振幅であるから、ＴＥ信号測定時に光ピックアップをディスク径方向に移動（シーク）する必要がない。よって測定に要する時間が短縮し、迅速なディスク判別が可能になる。光ピックアップを所望の領域（例えばデータ領域）に停止した状態であっても、ディスク偏芯により光ピックアップはトラックを横切ることになり、Ｓｉｎ波状のＴＥ信号が得られる。その振幅はトラックずれ量すなわちトラックピッチに依存するから、ＴＥ信号の振幅を比較することでトラックピッチの差を検出することができる。
【００２５】
図４は、上記＜判別法１＞と＜判別法２＞を組み合わせたディスク判別のフローチャートを示す図である。ここでは、全ての種類（ＢＤ，ＤＶＤ，ＣＤ，ＨＤ−ＤＶＤ）のディスクの判別法を説明する。
【００２６】
まずレーザ光をＢＤ用に切り換えて装着された光ディスクに照射する（Ｓ１０１）。ピックアップ内の対物レンズを光ディスク面側に移動させながら、ＰＥ信号生成部８により反射光の和信号（ＰＥ信号）の強度を測定する（Ｓ１０２）。レーザビームスポットが記録面に達するとＰＥ信号レベルが最大になることから、ディスク表面から記録面までの深さｄを求める（Ｓ１０３）。深さｄ＝０．１ｍｍであれば当該ディスクはＢＤであると判別する（Ｓ１０４）。深さｄが０．１ｍｍでなければ、ＤＶＤ用レーザに切り換え（Ｓ１０５）、同様にＰＥ信号を測定する（Ｓ１０６）。記録面深さｄを求め（Ｓ１０７）、ｄ＝１．２ｍｍであれば当該ディスクはＣＤであると判別する（Ｓ１０８）。
【００２７】
ＢＤでもＣＤでもない場合には（Ｓ１０７でＮｏ）、ＤＶＤ用レーザ光のままディスクを回転させ、ピックアップをディスク上のデータ領域（図３の符号３１，３２）に移動させる。そしてフォーカスサーボをＯＮ（Ｓ１０９）、トラッキングサーボをＯＦＦにして、ＴＥ信号生成部９にてＤＰＰ方式とＤＰＤ方式のトラッキングエラー信号（ＴＥ信号）を測定する（Ｓ１１０）。測定したＴＥ信号の振幅をそれぞれＶｄｐｐ、Ｖｄｐｄとし、閾値Ｖｔｈと比較する（Ｓ１１１）。ＶｄｐｐまたはＶｄｐｄの少なくとも一方が閾値Ｖｔｈよりも大きければ、当該ディスクはＤＶＤ（ただしＤＶＤ±ＲＷ以外）と判別する（Ｓ１１２）。ここに「ＶｄｐｐまたはＶｄｐｄの少なくとも一方」としたのは、未記録ディスクではピットが形成されていないので、Ｖｄｐｄの振幅は評価対象にならないからである。またＤＶＤ±ＲＷを除外したのは、他のＤＶＤに比べてＶｄｐｐ，Ｖｄｐｄの値が小さいので、閾値ＶｔｈだけではＨＤ−ＤＶＤとの区別がつかないからである。
【００２８】
ＨＤ−ＤＶＤとＤＶＤ±ＲＷの判別を行うため、振幅Ｖｄｐｐと振幅Ｖｄｐｄの比を求め、振幅比Ｖｄｐｐ／Ｖｄｐｄを閾値Ｒｔｈと比較する（Ｓ１１３）。振幅比Ｖｄｐｐ／ＶｄｐｄがＲｔｈよりも大きければ当該ディスクはＤＶＤ±ＲＷと判別し（Ｓ１１４）、Ｒｔｈ以下であれば当該ディスクはＨＤ−ＤＶＤと判別する（Ｓ１１５）。すなわち、振幅Ｖｄｐｐおよび振幅Ｖｄｐｄのいずれも閾値Ｖｔｈ以下であり、かつ振幅比Ｖｄｐｐ／Ｖｄｐｄが閾値Ｒｔｈ以下である場合、当該光ディスクはＨＤ−ＤＶＤであると判別する。以上により、全ての種類（ＢＤ，ＤＶＤ，ＣＤ，ＨＤ−ＤＶＤ）を判別することができる。
【００２９】
図５は、図４のＨＤ−ＤＶＤとＤＶＤとの判別で用いるＴＥ信号の振幅と閾値との関係を示す図である。まずＴＥ振幅値ＶｄｐｐまたはＶｄｐｄが閾値Ｖｔｈよりも大きければ、ＤＶＤ（ただしＤＶＤ±ＲＷを除く）５１であると判別する（Ｓ１１１，Ｓ１１２）。この閾値Ｖｔｈは例えば５５０ｍＶが適当である。また、ＶｄｐｐとＶｄｐｄのいずれも閾値Ｖｔｈ以下であれば、振幅比Ｖｄｐｐ／Ｖｄｐｄを評価する。Ｖｄｐｐ／Ｖｄｐｄが閾値Ｒｔｈよりも大きければＤＶＤ±ＲＷ５２であり、Ｒｔｈ以下であればＨＤ−ＤＶＤ５３であると判別する（Ｓ１１３，Ｓ１１４，Ｓ１１５）。これは、ＨＤ−ＤＶＤはＴｐが小さいのにもかかわらずスポット径の大きなＤＶＤ用レーザ光を照射しているため、スポットが隣接トラックにかかりＶｄｐｐが小さくＶｄｐｐ／Ｖｄｐｄを低下させるからである。この閾値Ｒｔｈは例えば０．３が適当である。
【００３０】
図６は、上記＜判別法３＞によるＨＤ−ＤＶＤとＤＶＤのディスク判別のフローチャートを示す図である。この場合、上記＜判別法１＞を組み合わせることで全ての種類のディスクを判別することができるが、＜判別法１＞については上記図４と同様なのでここでは省略する。＜判別法３＞では、ディスク上の２つの領域（データ領域とシステムリードイン（ＳＬＩ）領域）のＴＥ信号を測定するのであるが、測定順序を変えた２通りの方法がある。図６（ａ）はＳＬＩ領域から先に測定する場合、（ｂ）はデータ領域から先に測定する場合である。
【００３１】
図６（ａ）では、ＤＶＤ用レーザ光にてフォーカスサーボＯＮとして（Ｓ２０１）、ピックアップ（対物レンズ）をＨＤ−ＤＶＤのＳＬＩ領域（図３の符号３３）に移動させる。ＤＶＤディスクの場合には、リードイン領域３４の中のＳＬＩ領域に対応する領域（符号３３’）に移動させる（Ｓ２０２）。ＴＥ信号生成部９にてＤＰＰ方式のトラッキングエラー信号（ＴＥ信号）を測定し、測定したＴＥ信号の振幅をＶｌｅａｄとする（Ｓ２０３）。次にピックアップをデータ領域（符号３１，３２）に移動させる（Ｓ２０４）。再度ＤＰＰ方式のＴＥ信号を測定し、測定したＴＥ信号の振幅をＶｄａｔａとする（Ｓ２０５）。振幅Ｖｌｅａｄと振幅Ｖｄａｔａの比を求め、振幅比Ｖｌｅａｄ／Ｖｄａｔａを閾値Ｒｔｈと比較する（Ｓ２０６）。振幅比Ｖｌｅａｄ／ＶｄａｔａがＲｔｈよりも大きければ当該ディスクはＨＤ−ＤＶＤであると判別し（Ｓ２０７）、Ｒｔｈ以下であれば当該ディスクはＤＶＤであると判別する（Ｓ２０８）。具体的には、ＨＤ−ＤＶＤにおける振幅比Ｖｌｅａｄ／Ｖｄａｔａは５倍程度になるので、閾値Ｒｔｈはこれを判別するための値（例えば３程度）に設定すればよい。
【００３２】
一方図６（ｂ）では、ＤＶＤ用レーザ光にてフォーカスサーボＯＮとして（Ｓ２１１）、ピックアップ（対物レンズ）をＨＤ−ＤＶＤまたはＤＶＤのデータ領域（図３の符号３１，３２）に移動させる（Ｓ２１２）。ＴＥ信号生成部９にてＤＰＰ方式のＴＥ信号を測定し、測定したＴＥ信号の振幅をＶｄａｔａとする（Ｓ２１３）。測定を行った位置から、ＨＤ−ＤＶＤのＳＬＩ領域３３またはＤＶＤのＳＬＩ領域に対応する領域３３’へ向かって、ピックアップを所定量（例えば５０μｍ）だけ移動させる（Ｓ２１４）。移動先がＳＬＩ領域の存在する位置を超えているかどうかを判定する（Ｓ２１５）。超えていなければ再度ＤＰＰ方式のＴＥ信号を測定し、測定したＴＥ信号の振幅をＶｌｅａｄとする（Ｓ２１６）。振幅Ｖｌｅａｄと振幅Ｖｄａｔａの比を求め、振幅比Ｖｌｅａｄ／Ｖｄａｔａを閾値Ｒｔｈと比較する（Ｓ２１７）。振幅比Ｖｌｅａｄ／ＶｄａｔａがＲｔｈよりも大きければ、ＨＤ−ＤＶＤのＳＬＩ領域３３が存在したと判断し、当該ディスクはＨＤ−ＤＶＤであると判別する（Ｓ２１８）。振幅比がＲｔｈ以下であればＳ２１４に戻り、ピックアップを再度所定量だけ移動させ、ＴＥ信号を測定して振幅Ｖｌｅａｄを更新する。移動を繰り返し、移動先がＳＬＩ領域の存在する位置を超えた場合（Ｓ２１５でＹｅｓ）には測定を止める。この場合、Ｓ２１７の判定では振幅比はＲｔｈ以下であり、当該ディスクにはＳＬＩ領域３３が存在せずＤＶＤであると判別する（Ｓ２１９）。
【００３３】
図７は、図６のＨＤ−ＤＶＤとＤＶＤとの判別におけるピックアップの移動方法を示す図である。（ａ）（ｂ）はそれぞれ図６（ａ）（ｂ）に対応する。
【００３４】
（ａ）の移動方法は、測定１、測定２の順にディスク上の２点だけでＴＥ信号を測定すれば良いので、判別処理を短時間で行うことができる。しかしながら、測定１を行うＳＬＩ領域７１は非常に狭いため（約２００μｍ幅）、ＳＬＩ領域７１へのピックアップ（対物レンズ）の位置決めは難しくなる。もし測定１の位置決めが失敗すると、ディスク判別結果が誤ることになるので、位置決めが正しく行われたことを確認する手段を設けるのが良い。
【００３５】
（ｂ）の移動方法は、まずデータ領域７２でＴＥ信号の測定を開始し（測定１）、ピックアップを微小量送りながらＴＥ信号を測定してＳＬＩ領域へ到達させる（測定ｎ）ので、判別処理に要する時間が長くなる。しかしながら、狭いＳＬＩ領域７１であってもその領域内へ確実にピックアップを到達させることができるので、判別結果の信頼性が高い。このように移動方法（ａ）（ｂ）には一長一短があり、装置の状況に合わせて適宜選択すればよい。
【００３６】
このように、本実施例のディスク判別法では、トラッキングエラー信号の振幅を利用するのであるから、信号測定時に光ピックアップをディスク径方向に移動する必要がない。よって測定に要する時間が短縮し、迅速なディスク判別が可能になる。
【図面の簡単な説明】
【００３７】
【図１】本発明による光ディスク装置の一実施例を示すブロック図。
【図２】トラッキングエラー信号生成部９の詳細な構成を示す図。
【図３】ＨＤ−ＤＶＤとＤＶＤの記録フォーマットを比較して示した図。
【図４】本実施例におけるディスク判別のフローチャート（判別法１，２）を示す図。
【図５】ＨＤ−ＤＶＤとＤＶＤとの判別で用いるＴＥ信号の振幅と閾値との関係を示す図。
【図６】本実施例におけるディスク判別のフローチャート（判別法３）を示す図。
【図７】ＨＤ−ＤＶＤとＤＶＤとの判別におけるピックアップの移動方法を示す図。
【符号の説明】
【００３８】
１…光ディスク、２…スピンドルモータ、３…光ピックアップ、４…スレッドモータ、５…サーボ回路、６…レーザドライバ、７…ＦＥ信号生成部、８…ＰＥ信号生成部、９…ＴＥ信号生成部、１０…マイコン（ディスク判別部）、１１…ＥＥＰＲＯＭ、３１，３２…データ領域、３３…システムリードイン領域、３４…リードイン領域。
【図１】
2008159214.tif 000003
【図２】
2008159214.tif 000004
【図３】
2008159214.tif 000005
【図４】
2008159214.tif 000006
【図５】
2008159214.tif 000007
【図６】
2008159214.tif 000008
【図７】
2008159214.tif 000009